(57)【特許請求の範囲】
【請求項１】
１枚のシート材から形成され、トレイ状の箱体に組み立て可能な箱用シートであって、
略方形状の底面パネルと、
上記底面パネルの対向する一対の側縁から延出し、上方に折り曲げられる一対の第１側面パネルと、
上記第１側面パネルの先端縁から延出し、この第１側面パネルの内面側に折り返される一対の第１折り返しパネルと、
上記底面パネルの対向する他対の側縁から延出し、上方に折り曲げられる一対の第２側面パネルと、
上記第２側面パネルの先端縁から延出し、上記底面パネルと平行に折り曲げられる一対の接続パネルと、
上記接続パネルの先端縁から延出し、上記第２側面パネルの内面側に折り返される一対の第２折り返しパネルと
を備え、
上記第２折り返しパネルが、上記接続パネルに連接され、上記第２側面パネルと平行に配置される方形状の中央部と、この中央部の左右両外側に配置される一対の側部とを有し、
上記側部が、シートの反力によって外側の側縁を上記第１折り返しパネルの内面に当接することで、上記中央部に対して傾斜して保持され、
上記一対の第１側面パネルの幅方向両側の側縁から延出する各一対の外側折り込み片と、
上記一対の第１折り返しパネルの幅方向両側の側縁から延出し、上記外側折り込み片の内面に重ねられる各一対の内側折り込み片と、
上記中央部の先端縁から延出し、上記接続パネルと対向するように上記底面パネルに折り重ねられる延出片と
をさらに備え、
上記中央部が、上記外側折り込み片及び上記内側折り込み片を上記第２側面パネルとの間に挟み込んだ状態で上記第２側面パネルの内面側に折り返され、
上記延出片を上記底面パネルに折り重ねた状態で、上記中央部と上記内側折り込み片との間に空間が形成され、
上記接続パネルが、上記第２側面パネルと上記中央部とを接続する基部を有し、上記基部の延出方向長さがシート厚さの５倍以上である箱用シート。
【請求項２】
上記中央部、上記側部及び上記第１折り返しパネルによって平面視８角形状の内部空間が区画される請求項１に記載の箱用シート。
【請求項３】
上記側部の上記外側の側縁に他のパネルが連接されていない請求項１又は請求項２に記載の箱用シート。
【請求項４】
上記内側折り込み片及び上記外側折り込み片が、上記延出片を通過させる切り欠きを有し、
上記延出片の先端縁が上記第２側面パネルの内面に当接する請求項１、請求項２又は請求項３に記載の箱用シート。
【請求項５】
上記接続パネルが、上記側部と上記第２側面パネルとの間の空隙を覆う被覆部を有する請求項１から請求項４のいずれか１項に記載の箱用シート。
【請求項６】
上記中央部と上記一対の側部との境界線にミシン目が形成されている請求項１から請求項５のいずれか１項に記載の箱用シート。
【発明の詳細な説明】
【技術分野】
【０００１】
本発明は、箱用シートに関する。
【背景技術】
【０００２】
野菜等の生産物の保管、運搬用ケースとして、段ボールシートから組み立てられる箱体が用いられている。この箱体としては、運搬後そのままの状態で生産物を陳列して販売できるよう、トレイ状のものが広く利用されている。この箱体として、人目を惹きやすくなる等の観点から８角形状のものも提案されている（特開２０１７−１９７２８０号公報参照）。
【先行技術文献】
【特許文献】
【０００３】
【特許文献１】特開２０１７−１９７２８０号公報
【発明の概要】
【発明が解決しようとする課題】
【０００４】
上記公報に記載の箱体は、８角形状の底壁の各側縁から側壁が立設されるよう組み立てられる。この箱体は、生産物の収容空間が平面視８角形状に形成されることで視覚的効果が高められている。
【０００５】
しかしながら、この箱体は、平面視で箱体全体が８角形状に形成されるため（すなわち、底壁の４隅が面取りされているため）、箱体自体が小さく映りやすい。その結果、この箱体によると、生産物の内容量が少ない印象を与えやすく、視認者の購買意欲を十分に高め難い。また、この箱体は、底壁の４隅が面取りされているため、取扱性に劣る場合がある。
【０００６】
本発明は、このような事情に鑑みてなされたものであり、容量を大きく見せつつ人目を惹きやすくすることができると共に、取扱性に優れる箱用シートを提供することを目的とする。
【課題を解決するための手段】
【０００７】
上記課題を解決するためになされた本発明に係る箱用シートは、１枚のシート材から形成され、トレイ状の箱体に組み立て可能な箱用シートであって、略方形状の底面パネルと、上記底面パネルの対向する一対の側縁から延出し、上方に折り曲げられる一対の第１側面パネルと、上記第１側面パネルの先端縁から延出し、この第１側面パネルの内面側に折り返される一対の第１折り返しパネルと、上記底面パネルの対向する他対の側縁から延出し、上方に折り曲げられる一対の第２側面パネルと、上記第２側面パネルの先端縁から延出し、上記底面パネルと平行に折り曲げられる一対の接続パネルと、上記接続パネルの先端縁から延出し、上記第２側面パネルの内面側に折り返される一対の第２折り返しパネルとを備え、上記第２折り返しパネルが、上記接続パネルに連接され、上記第２側面パネルと平行に配置される方形状の中央部と、この中央部の左右両外側に配置される一対の側部とを有し、上記側部が、シートの反力によって外側の側縁を上記第１折り返しパネルの内面に当接することで、上記中央部に対して傾斜して保持される。
【発明の効果】
【０００８】
本発明に係る箱用シートは、容量を大きく見せつつ人目を惹きやすくすることができると共に、取扱性に優れる。
【図面の簡単な説明】
【０００９】
【図１】図１は、本発明の一実施形態に係る箱用シートを示す模式的平面図である。
【図２】図２は、図１の箱用シートを組み立ててなる箱体を示す模式的斜視図である。
【図３】図３は、図２の箱体の模式的平面図である。
【図４】図４は、図３の箱体のＩＶ−ＩＶ線断面図である。
【図５】図５は、図４の箱体のＶ−Ｖ線断面図である。
【図６】図６は、図５の箱体のＶＩ−ＶＩ線断面図である。
【発明を実施するための形態】
【００１０】
［本発明の実施形態の説明］
最初に本発明の実施態様を列記して説明する。
【００１１】
本発明の一態様に係る箱用シートは、１枚のシート材から形成され、トレイ状の箱体に組み立て可能な箱用シートであって、略方形状の底面パネルと、上記底面パネルの対向する一対の側縁から延出し、上方に折り曲げられる一対の第１側面パネルと、上記第１側面パネルの先端縁から延出し、この第１側面パネルの内面側に折り返される一対の第１折り返しパネルと、上記底面パネルの対向する他対の側縁から延出し、上方に折り曲げられる一対の第２側面パネルと、上記第２側面パネルの先端縁から延出し、上記底面パネルと平行に折り曲げられる一対の接続パネルと、上記接続パネルの先端縁から延出し、上記第２側面パネルの内面側に折り返される一対の第２折り返しパネルとを備え、上記第２折り返しパネルが、上記接続パネルに連接され、上記第２側面パネルと平行に配置される方形状の中央部と、この中央部の左右両外側に配置される一対の側部とを有し、上記側部が、シートの反力によって外側の側縁を上記第１折り返しパネルの内面に当接することで、上記中央部に対して傾斜して保持される。
【００１２】
当該箱用シートは、略方形状の底面パネルの対向する一対の側縁から延出し、上方に折り曲げられる一対の第１側面パネルと、上記底面パネルの対向する他対の側縁から延出し、上方に折り曲げられる一対の第２側面パネルとを備えており、平面視における箱体全体の外縁が略方形状である。当該箱用シートは、上記第２側面パネルの内面側に折り返される上記第２折り返しパネルが、上記第２側面パネルと平行に配置される方形状の中央部と、この中央部の左右両外側に配置される一対の側部とを有しており、上記側部が、シートの反力によって外側の側縁を上記第１折り返しパネルの内面に当接することで、上記中央部に対して傾斜して保持されるので、平面視において上記側部を上記第１側面パネル及び上記第２側面パネルに対して傾斜した状態で配置することができる。当該箱用シートは、平面視における全体の外縁を略方形状とすることで取扱性を高め、かつ容量を大きく見せる一方、内部空間の平面形状を外縁の形状と異ならせることで人目を惹きやすくすることができる。また、当該箱用シートは、シートの反力による上記第１折り返しパネルとの干渉によって上記側部を上記中央部に対して傾斜した状態で保持できるので、所望の内部空間を容易かつ確実に形成することができる。
【００１３】
上記中央部、上記側部及び上記第１折り返しパネルによって平面視８角形状の内部空間が区画されるとよい。このように、上記中央部、上記側部及び上記第１折り返しパネルによって平面視８角形状の内部空間が区画されることによって、平面視での箱体全体における外縁と内部空間の外縁とのクリアランスを大きくすることができ、箱体に収容される物品の内容量を多く見せやすい。
【００１４】
上記側部の上記外側の側縁に他のパネルが連接されていないことが好ましい。このように、上記側部の上記外側の側縁に他のパネルが連接されていないことによって、パネル数を少なくして箱体の組み立て容易化を図ると共に、当該箱用シートの製造コストを小さくすることができる。
【００１５】
当該箱用シートが、上記一対の第１側面パネルの幅方向両側の側縁から延出する各一対の外側折り込み片と、上記一対の第１折り返しパネルの幅方向両側の側縁から延出し、上記外側折り込み片の内面に重ねられる各一対の内側折り込み片と、上記中央部の先端縁から延出し、上記接続パネルと対向するように上記底面パネルに折り重ねられる延出片とをさらに備えており、上記中央部が、上記外側折り込み片及び上記内側折り込み片を上記第２側面パネルとの間に挟み込んだ状態で上記第２側面パネルの内面側に折り返され、上記延出片を上記底面パネルに折り重ねた状態で、上記中央部と上記内側折り込み片との間に空間が形成されるとよい。このように、当該箱用シートが、上記一対の第１側面パネルの幅方向両側の側縁から延出する各一対の外側折り込み片と、上記一対の第１折り返しパネルの幅方向両側の側縁から延出し、上記外側折り込み片の内面に重ねられる各一対の内側折り込み片と、上記中央部の先端縁から延出し、上記接続パネルと対向するように上記底面パネルに折り重ねられる延出片とをさらに備えており、上記中央部が、上記外側折り込み片及び上記内側折り込み片を上記第２側面パネルとの間に挟み込んだ状態で上記第２側面パネルの内面側に折り返され、上記延出片を上記底面パネルに折り重ねた状態で、上記中央部と上記内側折り込み片との間に空間が形成されることによって、平面視での箱体全体における外縁と内部空間の外縁とのクリアランスを大きくして箱体に収容される物品の内容量を多く見せやすい。また、この空間を利用して箱体内に収容される物品に対する緩衝性を高めやすい。
【００１６】
上記内側折り込み片及び上記外側折り込み片が、上記延出片を通過させる切り欠きを有し、上記延出片の先端縁が上記第２側面パネルの内面に当接するとよい。このように、上記内側折り込み片及び上記外側折り込み片が、上記延出片を通過させる切り欠きを有し、上記延出片の先端縁が上記第２側面パネルの内面に当接することによって、上記延出片を上記底面パネル上に安定的に保持することができ、ひいては上記中央部を上記第２側面パネルと平行に安定的に配置することができる。
【００１７】
上記接続パネルが、上記側部と上記第２側面パネルとの間の空隙を覆う被覆部を有するとよい。このように、上記接続パネルが、上記側部と上記第２側面パネルとの間の空隙を覆う被覆部を有することによって、箱体全体の美観を高めることができると共に、この箱体の内部空間の容量の変化の顕在化を抑えやすい。
【００１８】
上記中央部と上記一対の側部との境界線にミシン目が形成されているとよい。このように、上記中央部と上記一対の側部との境界線にミシン目が形成されていることによって、上記側部を所望の方向に容易に折り曲げることができる。
【００１９】
なお、本発明において、「上」とは、箱用シートを組み立ててなる箱体において想定される一般的な使用態様における「上」を意味し、「左右」とは、この箱体の上記使用態様における「左右」を意味する。「内」とは、上記箱体における「内」を意味し、「外」とは上記箱体における「外」を意味する。
【００２０】
以下、適宜図面を参照しつつ、本発明の実施の形態を詳説する。
【００２１】
［箱用シート］
図１の箱用シート１は、１枚のシート材から形成される。当該箱用シート１は、トレイ状の箱体に組み立て可能であり、具体的には図２及び図３の箱体２０に組み立てられる。当該箱用シート１は、略方形状の底面パネル２と、底面パネル２の対向する一対の側縁２ａから延出し、上方に折り曲げられる一対の第１側面パネル３と、第１側面パネル３の先端縁から延出し、第１側面パネルの内面側に折り返される一対の第１折り返しパネル４と、底面パネル２の対向する他対の側縁２ｂから延出し、上方に折り曲げられる一対の第２側面パネル５と、第２側面パネル５の先端縁から延出し、底面パネル２と平行に折り曲げられる一対の接続パネル６と、接続パネル６の先端縁から延出し、第２側面パネル５の内面側に折り返される一対の第２折り返しパネル７とを備える。なお、「略方形状」とは、完全な方形に限らず、部分的に切欠きや凹凸を有する形状を含む。
【００２２】
第１折り返しパネル４は、第１側面パネル３の先端縁から延出し、底面パネル２と平行に折り曲げられる接続部１１と、接続部１１の先端縁から延出し、第１側面パネル３の内面側に折り返される折り返し部１２とを有する。接続部１１は、幅方向の両側に一対の係止孔１１ａを有する。第２折り返しパネル７は、接続パネル６に連接され、第２側面パネル５と平行に配置される方形状の中央部１３と、中央部１３の左右両外側に配置される一対の側部１４とを有する。
【００２３】
また、当該箱用シート１は、一対の第１側面パネル３の幅方向両側の側縁から延出する各一対の外側折り込み片８と、一対の第１折り返しパネル４の幅方向両側の側縁から延出し、外側折り込み片８の内面に重ねられる各一対の内側折り込み片９と、中央部１３の先端縁から延出し、接続パネル６と対向するように底面パネル２に折り重ねられる延出片１０とを備える。さらに、当該箱用シート１は、一対の接続パネル６の幅方向両側の側縁から延出し、係止孔１１ａに挿入される各一対の挿入片１５を備える。なお、図１において、太い実線はシートを切断して形成される切断線を示し、細い実線はシートの片面を筋押しして形成される罫線を示す。
【００２４】
当該箱用シート１に用いられるシート材としては、シートの反力が十分に得られると共に、当該箱用シート１を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１を形成する段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。上記段ボールシートの厚さとしては、特に限定されないが、例えば１．５ｍｍ以上８ｍｍ以下とすることができ、３ｍｍ以上５ｍｍ以下が好ましく、３ｍｍ（Ｂフルート）がより好ましい。上記段ボールシートの中芯の稜線方向は、例えば第１側面パネル３の延出方向と平行とすることができる。
【００２５】
当該箱用シート１について詳述するに当たり、まず当該箱用シート１を箱体２０に組み立てる手順について説明する。
【００２６】
当該箱用シート１を箱体２０に組み立てるに当たっては、まず一対の第１側面パネル３を底面パネル２から上方に垂直に立ち上げる。そして、接続部１１が底面パネル２と平行に配置され、かつ折り返し部１２が第１側面パネル３と平行に配置されるように一対の第１折り返しパネル４を一対の第１側面パネル３の内面側に折り返す。
【００２７】
次に、一対の第１側面パネル３の幅方向両側の側縁から延出する各一対の外側折り込み片８及び一対の第１折り返しパネル４の幅方向両側の側縁から延出する各一対の内側折り込み片９を内側に略垂直に折り曲げる。そして、一対の第２側面パネル５を底面パネル２から上方に垂直に立ち上げたうえ、一対の接続パネル６を底面パネル２と平行に折り曲げ、一対の接続パネル６から延出する挿入片１５をそれぞれ接続部１１に形成される係止孔１１ａに挿入する。
【００２８】
続いて、外側折り込み片８及び内側折り込み片９を第２側面パネル５との間に挟み込むように一対の中央部１３を一対の第２側面パネル５の内面側に折り返す。そして、図４に示すように、中央部１３の左右に配置される一対の側部１４の外側（自由端側）の側縁１４ａをシートの反力によって、一対の第１折り返しパネル４の内面、より詳細には一対の折り返し部１２の内面に当接させる。図５に示すように、側部１４は、シートの反力によって外側の側縁１４ａを折り返し部１２の内面に当接することで、中央部１３に対して傾斜して保持される。また、図５及び図６に示すように、中央部１３を第２側面パネル５の内面側に折り返す際に、中央部１３の先端縁から延出する延出片１０を接続パネル６と上下方向に対向するように底面パネル２の上面に折り重ねる。延出片１０の先端縁は第２側面パネル５の内面に当接する。延出片１０の先端縁が第２側面パネル５の内面に当接した状態で中央部１３は第２側面パネル５と平行に配置される。これにより、当該箱用シート１は、図２及び図３の箱体２０に組み立てられる。
【００２９】
（底面パネル）
底面パネル２は、略方形状であり、好ましくは略正方形状である。底面パネル２の一辺の長さとしては、例えば１０ｃｍ以上４０ｃｍ以下程度とすることができる。底面パネル２の４つの角部には、角部に沿うＬ字状の切り欠き２ｃが設けられている。
【００３０】
（第１側面パネル）
第１側面パネル３は、延出方向長さに対して幅が大きい略長方形状である。第１側面パネル３の幅は、この第１側面パネル３が延出する底面パネル２の側縁２ａの長さと略等しい。第１側面パネル３の基端縁の幅方向両端部には、底面パネル２の切り欠き２ｃに連続する長方形状の切り欠き３ａが形成されている。また、第１側面パネル３の先端縁の幅方向両端部には、延出方向先端側に突出する突起３ｂが形成されている。突起３ｂは、切り欠き３ａと延出方向に対向する位置に設けられている。第１側面パネル３には、通気用の開口３ｃが形成されていてもよい。
【００３１】
（第１折り返しパネル）
〔接続部〕
接続部１１は、延出方向長さに対して幅が大きい略長方形状である。接続部１１の延出方向長さは、シート厚さの２倍程度であり、例えば５ｍｍ以上１０ｍｍ以下とすることができる。接続部１１は、幅方向の中央から両側に向けて等距離の位置に一対の係止孔１１ａを有する。係止孔１１ａは、接続部１１を幅方向に分断するよう設けられている。係止孔１１ａの基端縁は第１側面パネル３との境界線を越えて第１側面パネル３側に突出していてもよい。また、接続部１１は、幅方向に延び、一方の端部が係止孔１１ａに接続されるスリット１１ｂを有していてもよい。接続部１１がスリット１１ｂを有することで、箱体２０の組み立て時における係止孔１１ａへの挿入片１５の挿入が容易となる。
【００３２】
〔折り返し部〕
折り返し部１２は、延出方向長さに対して幅が大きい略長方形状である。折り返し部１２の延出方向長さは第１側面パネル３の延出方向長さと略等しい。折り返し部１２の左右一対の側縁は、それぞれ第１側面パネル３の側縁よりもシート厚さ程度内側に位置している。第１側面パネル３が開口３ｃを有する場合、折り返し部１２には、第１側面パネル３の内面側に折り返された状態で開口３ｃと連通する開口１２ａが形成される。
【００３３】
（外側折り込み片）
外側折り込み片８は、略長方形状である。箱体２０に組み立てられた状態において、外側折り込み片８の先端縁は、他の外側折り込み片８の先端縁と突き合わされる。外側折り込み片８の延出方向長さは、底面パネル２の第２側面パネル５が延出する側の側縁２ｂの長さの１／２程度とされる。外側折り込み片８は、箱体２０に組み立てられた状態で底面パネル２と対向する側の側縁に切り欠き８ａを有する。切り欠き８ａは、外側折り込み片８の側縁に沿って、外側折り込み片８の先端縁まで至っている。図５に示すように、箱体２０において、切り欠き８ａには延出片１０が通過する。切り欠き８ａは、外側折り込み片８の延出方向を長手方向とする略長方形状とすることができる。外側折り込み片８の幅方向を基準とする切り欠き８ａの深さはシート厚さ程度とすることができる。具体的には、外側折り込み片８の幅方向を基準とする切り欠き８ａの深さは、シート厚さ以上シート厚さの２倍以下とすることができ、シート厚さ以上シート厚さの１．５倍以下が好ましい。切り欠き８ａの長手方向長さは、延出片１０の幅の１／２以上とすることができる。
【００３４】
外側折り込み片８は、箱体２０に組み立てられた状態で上方に位置する側の側縁の基端部に、第１側面パネル３に形成される突起３ｂに連続する突起８ｂを有する。図２及び図３に示すように、箱体２０において、第１側面パネル３に形成される突起３ｂと外側折り込み片８に形成される突起８ｂとは平面視でＬ字状に設けられる。突起３ｂ、８ｂは、他の箱体と段積みされた場合に、上方に重ねられる箱体と係合する係合部２１を構成する。
【００３５】
（内側折り込み片）
内側折り込み片９は、折り返し部１２の幅方向両側の側縁から延出する。内側折り込み片９は、略長方形状である。図６に示すように、箱体２０に組み立てられた状態において、内側折り込み片９の先端縁は、他の内側折り込み片９の先端縁と突き合わされる。内側折り込み片９の延出方向長さは、底面パネル２の第２側面パネル５が延出する側の側縁２ｂの長さの１／２程度とされる。内側折り込み片９は、箱体２０に組み立てられた状態で底面パネル２と対向する側の側縁に切り欠き９ａを有する。切り欠き９ａは、内側折り込み片９の側縁に沿って、内側折り込み片９の先端縁まで至っている。図５に示すように、箱体２０において、切り欠き９ａには延出片１０が通過する。箱体２０に組み立てられた状態において、切り欠き９ａは、外側折り込み片８に形成される切り欠き８ａと重なり合う。内側折り込み片９に形成される切り欠き９ａの形状は、外側折り込み片８に形成される切り欠き８ａと同じとすることができる。
【００３６】
（第２側面パネル）
第２側面パネル５は、延出方向長さに対して幅が大きい略長方形状である。第２側面パネル５の幅は、この第２側面パネル５が延出する底面パネル２の側縁２ｂの長さと略等しい。第２側面パネル５の延出方向長さは、第１側面パネル３の延出方向長さと略等しい。第２側面パネル５の基端縁の幅方向両端部には、底面パネル２の切り欠き２ｃに連続する長方形状の切り欠き５ａが形成されている。図２に示すように、第２側面パネル５に形成される切り欠き５ａは、底面パネル２に形成される切り欠き２ｃ及び第１側面パネル３に形成される切り欠き３ａと共に、他の箱体と段積みされた場合に、下方に配置される箱体の係合部２１と係合される凹部２２を構成する。
【００３７】
（接続パネル）
接続パネル６の幅は、第２側面パネル５の幅と略等しい。図２及び図３に示すように、接続パネル６は、第２側面パネル５と中央部１３とを接続する中央部１３と同幅の長方形状の基部６ａと、基部６ａの幅方向の両側に設けられ、幅方向の外側に向けて延出方向長さが漸増する一対の被覆部６ｂとを有する。
【００３８】
基部６ａの延出方向長さＬは、中央部１３と第２側面パネル５との間に外側折り込み片８及び内側折り込み片９を挟み込めるよう、シート厚さの２倍以上とされる。基部６ａの延出方向長さＬの下限としては、シート厚さの３倍が好ましく、シート厚さの５倍がより好ましい。一方、基部６ａの延出方向長さＬの上限としては、シート厚さの８倍が好ましく、シート厚さの７倍がより好ましい。基部６ａの延出方向長さＬが上記下限に満たないと、中央部１３と内側折り込み片９との間に十分な空間を形成し難くなるおそれがある。逆に、基部６ａの延出方向長さＬが上記上限を超えると、箱体２０における内部空間Ｓ１が小さくなり過ぎるおそれがある。
【００３９】
被覆部６ｂの先端縁には、基部６ａの先端縁から連続し、基部６ａの先端縁に対して傾斜した傾斜部６ｃが形成されている。基部６ａの先端縁に対する傾斜部６ｃの傾斜角度としては、例えば３０°以上６０°以下とすることができる。図２及び図３に示すように、被覆部６ｂは、箱体２０に組み立てられた状態で側部１４と第２側面パネル５との間の空間を覆う。箱体２０の平面視において、傾斜部６ｃは、側部１４の上方で側部と平行に配置される。当該箱用シート１は、接続パネル６が、側部１４と第２側面パネル５との間の空隙を覆う被覆部６ｂを有することによって、箱体２０の全体の美観を高めることができる。また、当該箱用シート１は、被覆部６ｂによって側部１４と第２側面パネル５とのクリアランスを覆い隠すことで、箱体２０の内部空間Ｓ１の容量の減少の顕在化を抑えやすい。
【００４０】
接続パネル６は、基端縁の幅方向両端部に、外側折り込み片８に形成される上述の突起８ｂを通過させるための切り欠き６ｄを有する。
【００４１】
（第２折り返しパネル）
〔中央部〕
中央部１３は、方形状である。中央部１３の延出方向長さは、第２側面パネル５の延出方向長さと略等しい。中央部１３は、外側折り込み片８及び内側折り込み片９を第２側面パネル５との間に挟み込んだ状態で第２側面パネル５の内面側に折り返される。中央部１３は、第２側面パネル５と平行に配置される。
【００４２】
〔側部〕
側部１４は、中央部１３の側縁に連接されている。側部１４の外側の側縁１４ａは、中央部１３の側縁と平行である。中央部１３及びこの中央部１３の左右両側に配置される一対の側部１４の合計幅（つまり、第２折り返しパネル７の幅）は、箱体２０において対向する一対の折り返し部１２同士の間隔よりも大きい。これにより、側部１４は、中央部１３との境界縁で折り曲げられた状態で、外側の側縁１４ａが折り返し部１２の内面に当接する。また、側部１４には、折り返し部１２との当接状態で、折り曲げを解除する方向にシートの反力が作用する。その結果、側部１４の外側の側縁１４ａと折り返し部１２の内面とは互いに干渉し合い、側部１４は中央部１３に対して左右方向に傾斜した状態で安定的に保持される。
【００４３】
側部１４の外側の側縁１４ａには他のパネルは連接されていない。これにより、当該箱用シート１は、パネル数を少なくして箱体２０の組み立て容易化を図ることができると共に、当該箱用シート１の製造コストを小さくすることができる。
【００４４】
また、側部１４は、箱体２０に組み立てられた状態を含め、中央部１３の側縁のみに連接されている。つまり、側部１４は、箱体２０に組み立てられた状態を含め、中央部１３以外のパネルに固定されていない。当該箱用シート１は、側部１４の外側の側縁１４ａと折り返し部１２の内面との干渉によって側部１４を中央部１３に対して傾斜した状態で保持できるので、側部１４を中央部１３以外の他のパネルに対して固定しなくても、側部１４を所望の配置で安定的に保持することができる。
【００４５】
側部１４は、通常中央部１３に対して内側に傾斜するように折り曲げられる。これにより、箱体２０には、図３に示すように、中央部１３と側部１４と第１折り返しパネル４の折り返し部１２とによって平面視８角形状の内部空間Ｓ１が区画される。これにより、当該箱用シート１は、平面視での箱体２０全体における外縁と内部空間Ｓ１の外縁とのクリアランスを大きくすることができ、箱体２０に収容される物品の内容量を多く見せやすい。
【００４６】
中央部１３と一対の側部１４との境界線には折り曲げ容易線が形成されている。この折り曲げ容易線は、ミシン目２３を含むことが好ましい。つまり、中央部１３と一対の側部１４との境界線にはミシン目２３が形成されていることが好ましい。当該箱用シート１は、上記境界線にミシン目２３が形成されていることで、側部１４を所望の方向に容易に折り曲げることができる。
【００４７】
（延出片）
延出片１０は、延出方向長さに対して幅が大きい略長方形状である。延出片１０の延出方向長さは、接続パネル６の基部６ａの延出方向長さＬと略等しい。箱体２０において、延出片１０の先端縁は、第２側面パネル５の内面に当接する。これにより、延出片１０は、基部６ａと合わせて、中央部１３と第２側面パネル５との間隔を維持するスペーサとして機能する。当該箱用シート１は、上述のように外側折り込み片８及び内側折り込み片９が、延出片１０を通過させる切り欠き８ａ、９ａを有しており、延出片１０の先端縁が第２側面パネル５の内面に当接することによって、延出片１０を底面パネル２上に安定的に保持することができる。より詳しくは、延出片１０が外側折り込み片８及び内側折り込み片９の切り欠き８ａ、９ａのエッジに上方から支持されることで、延出片１０の先端側の底面パネル２からの浮き上がりが抑制でき、延出片１０を底面パネル２上に安定的に保持することができる。その結果、中央部１３を第２側面パネル５と平行に安定的に保持することができる。
【００４８】
図５に示すように、延出片１０を底面パネル２に折り重ねた状態で、中央部１３と内側折り込み片９との間には、中空の空間Ｓ２が形成されることが好ましい。当該箱用シート１は、中央部１３と内側折り込み片９との間に空間Ｓ２が形成されることで、平面視での箱体２０全体における外縁と内部空間Ｓ１の外縁とのクリアランスを大きくして箱体２０に収容される物品の内容量を多く見せやすい。また、この空間Ｓ２を利用して箱体２０内に収容される物品に対する緩衝性を高めやすい。さらに、中央部１３と内側折り込み片９との間に空間Ｓ２が形成されることで、この空間Ｓ２側に側部１４を傾斜することが可能となり、内部空間Ｓ１の容量を調整しやすい。
【００４９】
当該箱用シート１は、基部６ａ及び延出片１０の延出方向長さを調整することで、空間Ｓ２を形成することができる。空間Ｓ２の深さＤの下限としては、シート厚さの１倍が好ましく、シート厚さの２倍がより好ましい。一方、空間Ｓ２の深さＤの上限としては、シート厚さの４倍が好ましく、シート厚さの３倍がより好ましい。空間Ｓ２の深さＤが上記下限に満たないと、平面視での箱体２０全体における外縁と内部空間Ｓ１の外縁とのクリアランスを十分に大きくし難くなるおそれや、側部１４を空間Ｓ２側に折り曲げ難くなるおそれがある。逆に、空間Ｓ２の深さＤが上記上限を超えると、箱体２０における内部空間Ｓ１が小さくなり過ぎるおそれがある。
【００５０】
＜利点＞
当該箱用シート１は、略方形状の底面パネル２の対向する一対の側縁２ａから延出し、上方に折り曲げられる一対の第１側面パネル３と、底面パネル２の対向する他対の側縁２ｂから延出し、上方に折り曲げられる一対の第２側面パネル５とを備えており、平面視における箱体２０全体の外縁が略方形状である。当該箱用シート１は、第２側面パネル５の内面側に折り返される第２折り返しパネル７が、第２側面パネル５と平行に配置される方形状の中央部１３と、この中央部１３の左右両外側に配置される一対の側部１４とを有しており、側部１４が、シートの反力によって外側の側縁１４ａを折り返し部１２の内面に当接することで、中央部１３に対して傾斜して保持されるので、平面視において側部１４を第１側面パネル３及び第２側面パネル５に対して傾斜した状態で配置することができる。当該箱用シート１は、平面視における全体の外縁を略方形状とすることで取扱性を高め、かつ容量を大きく見せる一方、内部空間Ｓ１の平面形状を外縁の形状と異ならせることで人目を惹きやすくすることができる。また、当該箱用シート１は、シートの反力による折り返し部１２との干渉によって側部１４を中央部１３に対して傾斜した状態で保持できるので、所望の内部空間Ｓ１を容易かつ確実に形成することができる。
【００５１】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５２】
例えば上記第１折り返しパネルは、上述の折り返し部のみから構成されていてもよい。
【００５３】
上記底面パネル、上記第１側面パネル及び上記第２側面パネルには、他の箱体の係合部を係合するための切り欠きが形成されていなくてもよい。また、上記第１側面パネル及び上記外側折り込み片には、上記係合部を構成する突起が形成されていなくてもよい。
【００５４】
当該箱用シートは、上述の外側折り込み片及び内側折り込み片の一方又は両方を備えていなくてもよい。また、上記延出片の先端縁は、上記第２側面パネルの内面に当接しない構成とすることも可能である。例えば上記延出片の先端縁は、上記外側折り込み片又は上記内側折り込み片の内面に当接してもよい。上記延出片が上記外側折り込み片の内面に当接する場合、上記外側折り込み片には上記延出片を通過させる切り欠きが形成されなくてよい。また、上記延出片が上記内側折り込み片の内面に当接する場合、上記外側折り込み片に加え、上記内側折り込み片にも上記延出片を通過させる切り欠きが形成されなくてよい。
【００５５】
上記接続パネルは、上記中央部を上記第２側面パネルと平行に配置するためのスペーサとして機能する限り、箱体において上記側部と上記第２側面パネルとの間の空間を覆う被覆部を有しない構成とすることも可能である。
【００５６】
上記中央部と上記一対の側部との境界線に形成される折り曲げ容易線は、例えばシートの片面を筋押しして形成された罫線であってもよい。
【産業上の利用可能性】
【００５７】
以上のように、本発明に係る箱用シートは、容量を大きく見せつつ人目を惹きやすくすることができると共に、取扱性に優れる箱体に組み立てられるので、野菜等の生産物の保管、運搬及び販売用として適している。
【符号の説明】
【００５８】
１  箱用シート
２  底面パネル
２ａ、２ｂ  側縁
２ｃ、３ａ、５ａ、６ｄ、８ａ、９ａ  切り欠き
３  第１側面パネル
３ｂ、８ｂ  突起
３ｃ、１２ａ  開口
４  第１折り返しパネル
５  第２側面パネル
６  接続パネル
６ａ  基部
６ｂ  被覆部
６ｃ  傾斜部
７  第２折り返しパネル
８  外側折り込み片
９  内側折り込み片
１０  延出片
１１  接続部
１１ａ  係止孔
１１ｂ  スリット
１２  折り返し部
１３  中央部
１４  側部
１４ａ  側縁
１５  挿入片
２０  箱体
２１  係合部
２２  凹部
２３  ミシン目
Ｄ  中央部と内側折り込み片との間に形成される空間の深さ
Ｌ  基部の延出方向長さ
Ｓ１  箱体の内部空間
Ｓ２  中央部と内側折り込み片との間に形成される空間
【要約】
【課題】本発明は、容量を大きく見せつつ人目を惹きやすくすることができると共に、取扱性に優れる箱用シートを提供することを目的とする。
【解決手段】本発明に係る箱用シートは、底面パネルと、底面パネルの対向する一対の側縁から延出し、上方に折り曲げられる一対の第２側面パネルと、第２側面パネルの先端縁から延出し、底面パネルと平行に折り曲げられる一対の接続パネルと、接続パネルの先端縁から延出し、第２側面パネルの内面側に折り返される一対の第２折り返しパネルとを備え、第２折り返しパネルが、接続パネルに連接され、第２側面パネルと平行に配置される方形状の中央部と、中央部の左右両外側に配置される一対の側部とを有し、側部が、シートの反力によって外側の側縁を底面パネルの他対の側縁に立設される第１折り返しパネルの内面に当接することで、中央部に対して傾斜して保持される。
【選択図】図１【図１】
0006748316.tif 000002
【図２】
0006748316.tif 000003
【図３】
0006748316.tif 000004
【図４】
0006748316.tif 000005
【図５】
0006748316.tif 000006
【図６】
0006748316.tif 000007